(57)【要約】【課題】  衛生洗浄装置は洗浄ノズルにて温水を噴出し局部を洗浄するため、湿気が発生し、その湿気がケーシングの下部に形成された洗浄ノズル用の切り欠きから衛生洗浄装置内部に侵入しても、ケーシング前面に配置される対象物検知センサの端子部が腐食しない対象物検知センサを提供することを可能とする。【解決手段】  窓孔を持つケーシング８に装着され、対象物を検知する対象物検知センサ９であって、対象物検知センサ９を、発光素子と受光素子を備えたセンサ本体９ａと、センサ本体９ａと一定間隔を隔てて設置されるフィルタ９ｃと、センサ本体９ａを覆うセンサケース９ｂで構成し、センサケース９ｂを覆うセンサカバー１０を備えた。【選択図】  図５
2005090168.tif 000002
【特許請求の範囲】
【請求項１】
窓孔を持つケーシングに装着され、対象物を検知する対象物検知センサであって、該対象物検知センサを、発光素子と受光素子を備えたセンサ本体と前記センサ本体と一定間隔を隔てて設置されるフィルタと前記センサ本体を覆うセンサケースで構成し、前記センサケースを覆うセンサカバーを備えたことを特徴とする衛生洗浄装置の対象物検知センサ。
【請求項２】
前記センサカバーは、スナップフィット構造で前記センサケースに取付けられることを特徴とする請求項１記載の衛生洗浄装置の対象物検知センサ。
【請求項３】
前記センサカバーは、アルミテープで構成されていることを特徴とする請求項１記載の衛生洗浄装置の対象物検知センサ。
【請求項４】
前記対象物検知センサは、前記衛生洗浄装置の前記ケーシング前面に装着することを特徴とする請求項１乃至請求項３のいずれか１項に記載の衛生洗浄装置の対象物検知センサ。
【発明の詳細な説明】
【技術分野】
【０００１】
本発明は、使用者を検知する、衛生洗浄装置の対象物検知センサに関するものである。
【背景技術】
【０００２】
従来の衛生洗浄装置（特に便器幅と略同一の衛生洗浄装置）では、対象物検知センサの設置場所として、衛生洗浄装置の前面に配置されており、また、衛生洗浄装置の洗浄ノズルも便器幅の中心に配置され、便器中央に向かって伸出・収納駆動が可能であった（例えば、特許文献１参照）。
【０００３】
しかしながら、従来の構成では、洗浄ノズルにて温水を噴出し局部を洗浄するため、便器内に湿気がたまり、その湿気は、ケーシングの下部に形成された洗浄ノズル用の切り欠きから衛生洗浄装置内部に侵入し、ケーシング前面に配置される対象物検知センサの端子部が腐食する可能性があり、そのため正確な検知性能が得られなかったり断線故障の原因となる可能性があった。
【特許文献１】特開２００１−１８２１２６
【発明の開示】
【発明が解決しようとする課題】
【０００４】
本発明は、前記課題を解決するためになされたもので、湿気の影響を低減して、正確な検知性能や安定した動作が確保可能な、衛生洗浄装置の対象物検知センサを提供することを目的とする。
【課題を解決するための手段】
【０００５】
上記目的を達成するために請求項１記載の発明によれば、窓孔を持つケーシングに装着され、対象物を検知する対象物検知センサであって、該対象物検知センサを、発光素子と受光素子を備えたセンサ本体と前記センサ本体と一定間隔を隔てて設置されるフィルタと前記センサ本体を覆うセンサケースで構成し、前記センサケースを覆うセンサカバーを備えたことにより、対象物検知センサ内への被水又は湿気予防に効果がある。
【０００６】
また、請求項２記載の発明によれば請求項１の発明に加え、前記センサカバーは、スナップフィット構造で前記センサケースに取付けられることにより、着脱が容易となった。
【０００７】
また、請求項３記載の発明によれば、請求項１の発明に加え、前記センサカバーは、アルミテープで構成されていることにより、センサカバーの厚みが薄く出来るので、コンパクトな衛生洗浄装置の構成が可能となり、また、この構成によると対象物検知センサはセンサカバーを付けたまま、衛生洗浄装置のケーシングから着脱が可能となる。
【０００８】
また、請求項４記載の発明によれば、請求項１乃至請求項３のいずれかの発明に加え、前記対象物検知センサは、前記衛生洗浄装置の前記ケーシング前面に装着することにより、便器幅と略同一の衛生洗浄装置の構成が可能となり、コンパクトな衛生洗浄装置が構成できる。
【発明の効果】
【０００９】
本発明によれば、衛生洗浄装置に配置する対象物検知センサに対して、洗浄ノズルから噴出する温水の湿気からの影響から予防することを効果とする。
【発明を実施するための最良の形態】
【００１０】
以下、本発明の一形態である衛生洗浄装置１について図を用いて説明する。
【００１１】
図１は、衛生洗浄装置１の透視斜視図である。衛生洗浄装置１は、便蓋２、便座３と機能部と機能部を覆い被せるケーシング８で概略構成されている。
【００１２】
機能部は、局部を洗浄するための伸出可能な洗浄ノズル４、給水源からの水を温水にする温水タンク５、給水源の圧力調整や電磁弁により給水制御をする給水バルブユニット６、衛生洗浄装置を制御する制御ユニット７、使用者を検知する対象物検知センサ９とで構成されている。
【００１３】
図２は、ケーシングの裏面図である。対象物検知センサ９は、衛生洗浄装置１の前面に構成するようにケーシング８に取り付けられている。
【００１４】
図３は、ケーシング８に対象物検知センサ９を組み付ける説明図である。対象物検知センサ９は、センサ本体９ａと、センサ本体９ａに嵌合するセンサケース９ｂと、センサ本体９ａに嵌合するフィルタ９ｃから構成される。センサ本体９ａとフィルタ９ｃとの間には、発光用空間を形成する発光部と、フィルタ９ｃとの間に受光用空間を形成する受光部が形成され、センサ本体９ａはセンサケース９ｂの内側に装着され一体に組み付けられる。
【００１５】
ケーシング８に一体に組み付けられた対象物検知センサ９を、窓孔８ａをもつ衛生洗浄装置１のケーシング８に挿入する。樹脂製の締結部材１２をセンサケース９ｂに設けられた突起９ｄにより形成される溝９ｅに下方から挿入すると、締結部材１２に形成された柱部１２ｂの弾性力が働き、センサケース９ｂの上面に締結部材１２に形成された爪部１２ａが係合して締結部材１２が位置決めされ、対象物検知センサ９がケーシング８に固定される。
【００１６】
図４（ａ）は、センサカバー１０の取付説明図である。図４（ｂ）はセンサカバーの斜視図である。センサカバー１０は底面四角の筒形状となっており、樹脂成形によって形成されている。センサカバー１０の側面には、センサケース９の側面に形成される溝９ｆと嵌合するスナップフィット部１０ａを形成する。センサカバー１０をセンサケース９に被せて、センサケース９の周囲にほとんど隙間が無い状態に密閉した状態で固定される。センサカバー１０の材質としては、ＡＢＳの難燃グレード（例えば、５Ｖ等）が良い。また、対象物検知センサ９とセンサカバー１０はスナップフィットで取り付けられているが、ネジ止め固定でも良いことは言うまでもない。
【００１７】
図５は、側面から見た機能部の概念側面図である。便器１１からの湿気（矢印）は、ケーシングの下部に形成された洗浄ノズル用の切り欠き８ｂから衛生洗浄装置内部に侵入し、ケーシング８の前面に取り付けられている、対象物検知センサ９に対してケーシング８の裏面を伝い到達するが、対象物検知センサー８に取り付けられているセンサカバー１０によって、湿気による腐食等の不具合から防ぐことが可能となる。
【００１８】
以上説明した実施の形態では、湿気防止のためのセンサカバー１０を樹脂成形品で形成したが、金属板等で構成してもよい。例えば、アルミのような金属を薄い板やテープ状に構成してカバーを構成し、対象物検知センサを覆い被せることでも、本発明の効果を実施できるのは言うまでもない。なお、アルミをテープ状とし、かつ両面テープをさらに設けたものの場合は、カバー形状の構成を、より容易に行うことができる。また、金属板等でカバーを構成した場合、制御ユニットや別機器（ラジオ等）からの電気的ノイズの耐性が強く誤検知を防ぐことも、同時に期待できる。
また、センサカバー１０を金属板で形成すれば、要求仕様として不燃性が必要となる場合でも、樹脂成形品以上に対応が容易となる。
【図面の簡単な説明】
【００１９】
【図１】本発明の便器装置を示す前方透視斜視図
【図２】本発明のケーシングの裏面図
【図３】本発明のケーシングと対象物検知センサの取付説明図
【図４】本発明のセンサカバーの取付説明図
【図５】本発明の衛生洗浄装置の概念側面断面図
【符号の説明】
【００２０】
１…衛生洗浄装置
２…便蓋
３…便座
４…洗浄ノズル
５…温水タンク
６…給水バルブユニット
７…制御ユニット
８…ケーシング
９…対象物検知センサ
９ｂ…センサケース
１０…センサカバー
１１…便器
１２…締結部材
【図１】
2005090168.tif 000003
【図２】
2005090168.tif 000004
【図３】
2005090168.tif 000005
【図４】
2005090168.tif 000006
【図５】
2005090168.tif 000007